【手続補正書】
【提出日】平成24年6月8日(2012.6.8)
【手続補正１】
【補正対象書類名】明細書
【補正対象項目名】００６４
【補正方法】変更
【補正の内容】
【００６４】
このブレンドの屈曲モジュラスは９８６ＭＰａである。これは、パーフルオロポリマー単独に比して、屈曲モジュラスの５０％上昇である（計算：[（９８６−６５５）÷６５
５]×１００）。この屈曲モジュラスの上昇は、ＰＴＦＥの屈曲モジュラスおよびパーフ
ルオロポリマーと混合されたＥＴＦＥの屈曲モジュラスから予測され得るものよりはるかに多い。たとえばＰＴＦＥがパーフルオロポリマーと同じ屈曲モジュラスを有すると考えるのであれば、その時は、ＥＴＦＥ１８．２質量％が、ブレンドの屈曲モジュラスに果たすと予測される寄与は、下記の通りに見積もられる：ブレンドに関して、（１８．２％×１３２０）＋（８１．８％×６５５）＝７７６ＭＰａ、これは屈曲モジュラスの１８．５％上昇である。このブレンドは、予測される屈曲モジュラスを２．７（５０％／１８．５％）倍上回る。
マトリックスポリマーとして、ＦＥＰをＴＦＥ／ＰＰＶＥコポリマーの代わりにするとき、類似した予想外の改善が得られる。
【手続補正２】
【補正対象書類名】明細書
【補正対象項目名】００６５
【補正方法】変更
【補正の内容】
【００６５】
以上、本発明を要約すると下記のとおりである。
１．（ａ）エチレン／−テトラフルオロエチレンコポリマーまたは（ｂ）溶融成形可能なパーフルオロポリマーのいずれかのマトリックスを含む組成物であって、各マトリックスはマイクロメートル以下の大きさのポリテトラフルオロエチレン粒子を中に含むが、但し、エチレン／テトラフルオロエチレンコポリマーは、また、パーフルオロポリマー（ｂ）に含まれ、コポリマー（ａ）を含む組成物は、単独での前記コポリマーに比して少なくとも２０％の屈曲モジュラスの低下を示し、パーフルオロポリマー（ｂ）を含む組成物は、単独での前記パーフルオロポリマーに比して少なくとも２０％の屈曲モジュラスの上昇を示す、上記組成物。
２．コポリマー（ａ）またはパーフルオロポリマー（ｂ）と、エチレン／テトラフルオロエチレンコポリマーで被覆されたポリテトラフルオロエチレン粒子との溶融混合によって製造される、上記１に記載の組成物。
３．エチレン／テトラフルオロエチレンコポリマーで被覆されたポリテトラフルオロエチレン粒子は、コア／シェルポリマー粒子であり、ここでコアは該ポリテトラフルオロエチレンであり、該シェルは、その上に被覆された該エチレン／テトラフルオロエチレンコポリマーである、上記２に記載の組成物。
４．エチレン／テトラフルオロエチレンコポリマーで被覆されたポリテトラフルオロエチレン粒子は、ポリテトラフルオロエチレンのマトリックスとしての、該エチレン／テトラフルオロエチレンコポリマー中の該粒子の分散体であり、それによって、エチレン／テトラフルオロエチレンコポリマーのコーティングをその上に形成する、上記３に記載の組成物。
５．コポリマー（ａ）を含む組成物において、ポリテトラフルオロエチレンの量が、該ポリテトラフルオロエチレンおよび該コポリマー（ａ）の合計質量に基づいて０．５〜１０質量％である、上記１に記載の組成物。
６．パーフルオロポリマー（ｂ）を含む組成物において、エチレン／テトラフルオロエチレンコポリマーおよびポリテトラフルオロエチレン粒子の量が、該パーフルオロポリマー、コポリマーおよびポリテトラフルオロエチレンの合計質量に基づいて、約１０〜３０質量％である、上記１に記載の組成物。
７．マイクロメートル以下の大きさのポリテトラフルオロエチレン粒子を、エチレン／テトラフルオロエチレンコポリマーにブレンドしてその剛性を低下させるか、またはエチレン／−テトラフルオロエチレンコポリマーと一緒に、溶融成形可能なパーフルオロポリマーにブレンドして、その剛性を増大させることを含む、方法。
８．補剛するためにパーフルオロポリマーにブレンドしたポリテトラフルオロエチレン粒子を、エチレン／テトラフルオロエチレンコポリマー粒子の中に含ませる、上記７に記載の方法。
９．ポリテトラフルオロエチレン粒子が、コア／シェルポリマーのコアであり、該コアが該ポリテトラフルオロエチレンを含み、該シェルがエチレン／テトラフルオロエチレンコポリマーを含む、上記７に記載の方法。
１０．コアがポリテトラフルオロエチレンであり、シェルがコポリマーである、コア／シェルポリマーの形のエチレン／テトラフルオロエチレンコポリマー。
１１．シェルが、ポリテトラフルオロエチレンコアおよびコポリマーシェルの合計質量の少なくとも７２質量％を含む、上記１０に記載のコポリマー。
１２．ポリマーの平均粒径が１２５ｎｍ以下である、上記１０に記載のコア／シェルポリマーの水分散液。
１３．上記１０に記載のコア／シェルポリマーを含む、溶融混合物。
１４．コポリマーのマトリックス中の粒子としてコアの分散体を含む、上記１３に記載の溶融混合物。
【手続補正３】
【補正対象書類名】特許請求の範囲
【補正対象項目名】全文
【補正方法】変更
【補正の内容】
【特許請求の範囲】
【請求項１】
（ａ）エチレン／−テトラフルオロエチレンコポリマーまたは（ｂ）溶融成形可能なパーフルオロポリマーのいずれかのマトリックスを含む組成物であって、各マトリックスはマイクロメートル以下の大きさのポリテトラフルオロエチレン粒子を中に含むが、但し、エチレン／テトラフルオロエチレンコポリマーは、また、パーフルオロポリマー（ｂ）に含まれ、コポリマー（ａ）を含む組成物は、単独での前記コポリマーに比して少なくとも２０％の屈曲モジュラスの低下を示し、パーフルオロポリマー（ｂ）を含む組成物は、単独での前記パーフルオロポリマーに比して少なくとも２０％の屈曲モジュラスの上昇を示す、上記組成物。
【請求項２】
コポリマー（ａ）またはパーフルオロポリマー（ｂ）と、エチレン／テトラフルオロエチレンコポリマーで被覆されたポリテトラフルオロエチレン粒子との溶融混合によって製造される、請求項１に記載の組成物。
【請求項３】
エチレン／テトラフルオロエチレンコポリマーで被覆されたポリテトラフルオロエチレン粒子は、コア／シェルポリマー粒子であり、ここでコアは該ポリテトラフルオロエチレンであり、該シェルは、その上に被覆された該エチレン／テトラフルオロエチレンコポリマーである、請求項２に記載の組成物。
【請求項４】
エチレン／テトラフルオロエチレンコポリマーで被覆されたポリテトラフルオロエチレン粒子は、ポリテトラフルオロエチレンのマトリックスとしての、該エチレン／テトラフルオロエチレンコポリマー中の該粒子の分散体であり、それによって、エチレン／テトラフルオロエチレンコポリマーのコーティングをその上に形成する、請求項３に記載の組成物。
【請求項５】
マイクロメートル以下の大きさのポリテトラフルオロエチレン粒子を、エチレン／テトラフルオロエチレンコポリマーにブレンドしてその剛性を低下させるか、またはエチレン／−テトラフルオロエチレンコポリマーと一緒に、溶融成形可能なパーフルオロポリマーにブレンドして、その剛性を増大させることを含む、方法。
【請求項６】
補剛するためにパーフルオロポリマーにブレンドしたポリテトラフルオロエチレン粒子を、エチレン／テトラフルオロエチレンコポリマー粒子の中に含ませる、請求項５に記載の方法。
【請求項７】
ポリテトラフルオロエチレン粒子が、コア／シェルポリマーのコアであり、該コアが該ポリテトラフルオロエチレンを含み、該シェルがエチレン／テトラフルオロエチレンコポリマーを含む、請求項５に記載の方法。
【請求項８】
コアがポリテトラフルオロエチレンであり、シェルがコポリマーである、コア／シェルポリマーの形のエチレン／テトラフルオロエチレンコポリマー。